(57)【要約】  ＵＩ生成装置は、演算部と、ＵＩ画面を生成するために演算部により実行されるアプリケーションプログラムが格納されるアプリケーション格納メモリと、アプリケーション格納メモリと分離して設けられ、ＵＩ画面の構成要素となるパーツを表すパーツデータが格納されるパーツ格納メモリと、パーツ格納メモリに格納されているパーツデータの書き替え用のパーツデータが外部から入力可能に設けられた入力インターフェース部とを備える。
2017199587.tif 000002
【特許請求の範囲】
【請求項１】
演算部と、
ＵＩ（User Interface）画面を生成するために前記演算部により実行されるアプリケーションプログラムが格納されるアプリケーション格納メモリと、
前記アプリケーション格納メモリと分離して設けられ、前記ＵＩ画面の構成要素となるパーツを表すパーツデータが格納されるパーツ格納メモリと、
前記パーツ格納メモリに格納されているパーツデータの書き替え用のパーツデータが外部から入力可能に設けられた入力インターフェース部と、
を備えることを特徴とするＵＩ生成装置。
【請求項２】
前記演算部は、前記パーツ格納メモリに格納されているパーツデータが前記入力インターフェース部を介して入力された書き替え用のパーツデータへ書き替えられた後の、前記パーツ格納メモリに格納されているパーツデータに基づいて、前記ＵＩ画面を生成することを特徴とする請求項１記載のＵＩ生成装置。
【請求項３】
前記パーツ格納メモリに格納されているパーツデータ、及び、前記入力インターフェース部を介して入力される書き替え用のパーツデータは、当該パーツデータの識別子及びデータサイズを含むヘッダデータをパーツデータ毎に有することを特徴とする請求項１記載のＵＩ生成装置。
【請求項４】
前記パーツ格納メモリに格納されているパーツデータを、前記入力インターフェース部を介して入力される書き替え用のパーツデータへ書き替える際に、
前記入力インターフェース部を介して入力される書き替え用のパーツデータのヘッダデータに含まれる識別子を取得し、
前記取得した識別子と、前記パーツ格納メモリに格納されているパーツデータの識別子テーブルとを比較し、
前記取得した識別子が前記識別子テーブルに含まれている場合には、前記取得した識別子を含むヘッダデータを有する前記書き替え用のパーツデータのヘッダデータに含まれるデータサイズと、前記取得した識別子を含むヘッダデータを有する前記パーツ格納メモリに格納されているパーツデータのために確保されているデータエリアサイズとを比較し、
前記書き替え用のパーツデータのヘッダデータに含まれるデータサイズが前記データエリアサイズ以下である場合には、前記取得した識別子を含むヘッダデータを有する前記パーツ格納メモリに格納されているパーツデータを、前記取得した識別子を含むヘッダデータを有する前記書き替え用のパーツデータへ書き替え、
前記取得した識別子が前記識別子テーブルに含まれていない場合、又は、前記取得した識別子を含むヘッダデータを有する前記書き替え用のパーツデータのデータサイズが前記データエリアサイズよりも大きい場合には、前記取得した識別子を含むヘッダデータを有する前記書き替え用のパーツデータへの書き替えを行わない、
ことを特徴とする請求項３記載のＵＩ生成装置。
【請求項５】
前記パーツデータは、前記ＵＩ画面の構成要素となる画像又は文字を表すデータであることを特徴とする請求項１記載のＵＩ生成装置。
【発明の詳細な説明】
【技術分野】
【０００１】
本発明は、ＵＩ（User Interface）画面の生成を行うＵＩ生成装置に関する。
【背景技術】
【０００２】
従来、ＵＩ画面の生成や表示等を行う装置が知られている。
例えば医療分野では、ＧＵＩ（Graphical User Interface）画面の生成や表示等を行うシステムが知られている（特許文献１等参照）。このシステムでは、複数のアイコンを含むＧＵＩ画面が表示され、ユーザは、そのＧＵＩ画面を介して、接続されている装置の設定や患者データの閲覧等を行うことができる。
【先行技術文献】
【特許文献】
【０００３】
【特許文献１】米国特許出願公開第２０１４／０１８７８５６号明細書
【発明の概要】
【発明が解決しようとする課題】
【０００４】
一般に、上述のようなＵＩ画面の生成等を行う装置では、ＵＩ画面の生成がソフトウェアにより行われ、そのＵＩ画面の構成要素となる画像（アイコン等）や文字等のパーツを表すパーツデータが、そのソフトウェアの一部として組み込まれている。そのため、ＵＩ画面の構成要素となるパーツの変更（差し替え）を行う場合には、ソフトウェアのアルゴリズムに変更が無いにも係らず、そのソフトウェアのアップデート作業が必要になり、ＵＩ画面の構成要素となるパーツの変更は容易ではなかった。【０００５】
本発明は、上記実状に鑑み、ＵＩ画面の構成要素となるパーツを容易に変更することができるＵＩ生成装置を提供することを目的とする。
【課題を解決するための手段】
【０００６】
本発明の第１の態様は、演算部と、ＵＩ（User Interface）画面を生成するために前記演算部により実行されるアプリケーションプログラムが格納されるアプリケーション格納メモリと、前記アプリケーション格納メモリと分離して設けられ、前記ＵＩ画面の構成要素となるパーツを表すパーツデータが格納されるパーツ格納メモリと、前記パーツ格納メモリに格納されているパーツデータの書き替え用のパーツデータが外部から入力可能に設けられた入力インターフェース部と、を備えるＵＩ生成装置を提供する。【０００７】
本発明の第２の態様は、第１の態様において、前記演算部は、前記パーツ格納メモリに格納されているパーツデータが前記入力インターフェース部を介して入力された書き替え用のパーツデータへ書き替えられた後の、前記パーツ格納メモリに格納されているパーツデータに基づいて、前記ＵＩ画面を生成するＵＩ生成装置を提供する。【０００８】
本発明の第３の態様は、第１の態様において、前記パーツ格納メモリに格納されているパーツデータ、及び、前記入力インターフェース部を介して入力される書き替え用のパーツデータは、当該パーツデータの識別子及びデータサイズを含むヘッダデータをパーツデータ毎に有するＵＩ生成装置を提供する。【０００９】
本発明の第４の態様は、第３の態様において、前記パーツ格納メモリに格納されているパーツデータを、前記入力インターフェース部を介して入力される書き替え用のパーツデータへ書き替える際に、前記入力インターフェース部を介して入力される書き替え用のパーツデータのヘッダデータに含まれる識別子を取得し、前記取得した識別子と、前記パーツ格納メモリに格納されているパーツデータの識別子テーブルとを比較し、前記取得した識別子が前記識別子テーブルに含まれている場合には、前記取得した識別子を含むヘッダデータを有する前記書き替え用のパーツデータのヘッダデータに含まれるデータサイズと、前記取得した識別子を含むヘッダデータを有する前記パーツ格納メモリに格納されているパーツデータのために確保されているデータエリアサイズとを比較し、前記書き替え用のパーツデータのヘッダデータに含まれるデータサイズが前記データエリアサイズ以下である場合には、前記取得した識別子を含むヘッダデータを有する前記パーツ格納メモリに格納されているパーツデータを、前記取得した識別子を含むヘッダデータを有する前記書き替え用のパーツデータへ書き替え、前記取得した識別子が前記識別子テーブルに含まれていない場合、又は、前記取得した識別子を含むヘッダデータを有する前記書き替え用のパーツデータのデータサイズが前記データエリアサイズよりも大きい場合には、前記取得した識別子を含むヘッダデータを有する前記書き替え用のパーツデータへの書き替えを行わないＵＩ生成装置を提供する。【００１０】
本発明の第５の態様は、第１の態様において、前記パーツデータは、前記ＵＩ画面の構成要素となる画像又は文字を表すデータであるＵＩ生成装置を提供する。
【発明の効果】
【００１１】
本発明によれば、ＵＩ画面の構成要素となるパーツを容易に変更することができる、という効果を奏する。
【図面の簡単な説明】
【００１２】
【図１】一実施の形態に係るＵＩ生成装置が適用された内視鏡用プロセッサの構成例を示す図である。
【図２】パーツメモリに格納されるパーツデータのデータ構造例を示す図である。
【図３】ＵＳＢメモリ等に格納されるアップデート用パーツデータのデータ構造例を示す図である。
【図４】内視鏡用プロセッサがパーツメモリに格納されているパーツデータをアップデートするときの動作の一例を示すフローチャートである。
【発明を実施するための形態】
【００１３】
以下、図面を参照しながら、本発明の実施の形態について説明する。
図１は、本発明の一実施の形態に係るＵＩ生成装置が適用された内視鏡用プロセッサの構成例を示す図である。なお、この内視鏡用プロセッサは、医療機関（例えば病院）での内視鏡検査等に使用される装置であり、内視鏡装置又は内視鏡画像処理装置等とも言う。
【００１４】
図１に示したように、内視鏡用プロセッサ１は、映像処理部１１、ＵＩコントロール基板１２、及びタッチパネルディスプレイ１３を含み、内視鏡２及びモニタ３が接続されている。
【００１５】
映像処理部１１は、患者の体腔内を撮像する内視鏡２により取得された画像信号に基づいて映像信号を生成し、その映像信号をモニタ３へ出力する。これにより、モニタ３では、その映像信号に応じた映像が表示される。
【００１６】
ＵＩコントロール基板１２は、プログラムメモリ１２１、パーツメモリ１２２、入力ＩＦ（interface）１２３、及びＣＰＵ（Central Processing Unit）１２４を含む。
プログラムメモリ１２１は、ＵＩ画面を生成するためのアプリケーションプログラム等が格納（記録）される。
【００１７】
パーツメモリ１２２は、ＵＩ画面の構成要素となるパーツを表すパーツデータが格納される。なお、パーツメモリ１２２は、プログラムメモリ１２１と分離して設けられる。
入力ＩＦ１２３は、パーツメモリ１２２に格納されているパーツデータのアップデート用パーツデータが外部から入力可能に設けられたＩＦである。例えば、入力ＩＦ１２３は、そのアップデート用パーツデータが格納されたＵＳＢ（Universal Serial Bus）メモリ４やＳＤメモリカード５等が接続されるＩＦである。
【００１８】
ＣＰＵ１２４は、各種の動作を制御する。例えば、ＣＰＵ１２４は、パーツメモリ１２２に格納されているパーツデータを、入力ＩＦ１２３に接続されているＵＳＢメモリ４等に格納されているアップデート用パーツデータへ変更する（書き替える）。また、例えば、ＣＰＵ１２４は、プログラムメモリ１２１に格納されているアプリケーションプログラムを実行することにより、パーツメモリ１２２に格納されているパーツデータを用いて、タッチパネルディスプレイ１３に表示させるＵＩ画面を生成する。
【００１９】
タッチパネルディスプレイ１３は、ＣＰＵ１２４により生成されたＵＩ画面を表示し、そのＵＩ画面を介して、ユーザからの各種の入力を受け付ける。
図２は、パーツメモリ１２２に格納されるパーツデータのデータ構造例を示す図である。
【００２０】
図２に示したように、パーツメモリ１２２は、パーツデータが格納されるパーツ格納テーブル１２２ａ、１２２ｂを有する。
パーツ格納テーブル１２２ａは、パーツデータとして、アイコン等のような画像を表す画像データ（図２の「画像１」等参照）が格納されるテーブルである。パーツ格納テーブル１２２ｂは、パーツデータとして、文字を表す文字データ（図２の「文字１」等参照）が格納されるテーブルである。
【００２１】
パーツ格納テーブル１２２ａ、１２２ｂの各々に格納される各パーツデータは、当該パーツデータ自体の実データと、当該パーツデータに関する情報であるヘッダデータ（以下単に「ヘッダ」と言う）とを有する。
【００２２】
ヘッダは、パーツＩＤ（identification）、データサイズ、アドレス、及びオフセットを有する。パーツＩＤは、当該パーツデータのＩＤである。なお、パーツＩＤは、当該パーツデータが画像データである場合には画像ＩＤとも言い、それが文字データである場合には文字ＩＤとも言う。データサイズは、当該パーツデータの実データのサイズである。アドレスは、当該パーツデータの実データが格納されるパーツメモリ１２２上のアドレスである。オフセットは、当該パーツデータに対して予め規定されている最大許容実データサイズから当該パーツデータのデータサイズを減算した値である。
【００２３】
本実施形態では、このようなヘッダ構造を有することにより、例えば、当該パーツデータの実データが格納される領域として、当該パーツデータのヘッダに含まれるアドレスから、当該パーツデータのヘッダに含まれるデータサイズとオフセットとを加えたサイズの領域（即ち、当該パーツデータに対して予め規定されている最大許容実データサイズの領域）が確保される仕組みになっている。これにより、図４を用いて後述するように、パーツデータの変更（書き替え）が行われるときに、その変更前後でパーツデータのサイズが異なる場合であっても、変更後のパーツデータのサイズが最大許容実データサイズ以下であれば、その変更が可能になる。
【００２４】
なお、最大許容実データサイズは、全てのパーツデータにおいて同じとしてもよいし、パーツデータ毎に異なるようにしてもよい。または、最大許容実データサイズは、例えば、画像データであるパーツデータにおいて同じ、或いは、文字データであるパーツデータにおいて同じといったように、複数のパーツデータにおいて同じとしてもよい。
【００２５】
図３は、ＵＳＢメモリ４等に格納されるアップデート用パーツデータのデータ構造例を示す図である。
図３に示したように、ＵＳＢメモリ４等に格納される各アップデート用パーツデータは、当該アップデート用パーツデータ自体の実データと、当該アップデート用パーツデータに関する情報であるヘッダとを有する。
【００２６】
ヘッダは、パーツＩＤ及びデータサイズを有する。パーツＩＤは、当該アップデート用パーツデータのＩＤである。なお、アップデート用パーツデータのパーツＩＤは、そのアップデート用パーツデータが、パーツメモリ１２２に格納されているパーツデータのアップデート用パーツデータである場合には、そのパーツメモリ１２２に格納されているパーツデータのパーツＩＤと同じとされる。データサイズは、当該アップデート用パーツデータの実データのサイズである。
【００２７】
なお、このような構成の内視鏡用プロセッサ１において、ＣＰＵ１２４は、演算部の一例である。プログラムメモリ１２１は、ＵＩ画面を生成するために演算部で実行されるアプリケーションプログラムが格納されるアプリケーション格納メモリの一例である。パーツメモリ１２２は、アプリケーション格納メモリと分離して設けられ、ＵＩ画面の構成要素となるパーツを表すパーツデータが格納されるパーツ格納メモリの一例である。入力ＩＦ１２３は、パーツ格納メモリに格納されているパーツデータの書き替え用のパーツデータが外部から入力可能に設けられた入力インターフェース部の一例である。ＩＤは、識別子の一例である。アップデート用パーツデータは、書き換え用のパーツデータの一例である。パーツ格納テーブル１２２ａ、１２２ｂは、パーツ格納メモリに格納されているパーツデータの識別子テーブルの一例である。パーツデータに対して予め規定されている最大許容実データサイズは、パーツデータのために確保されているデータエリアサイズの一例である。
【００２８】
次に、内視鏡用プロセッサ１がパーツメモリ１２２に格納されているパーツデータをアップデートするときの動作について説明する。
図４は、その動作の一例を示すフローチャートである。
【００２９】
図４に示したように、ＣＰＵ１２４は、入力ＩＦ１２３にＵＳＢメモリ４等が接続されたことを検出すると、そのＵＳＢメモリ４等に格納されているアップデート用パーツデータのヘッダに含まれるパーツＩＤ（画像ＩＤ又は文字ＩＤ）を検索する（Ｓ１０）。
【００３０】
続いて、ＣＰＵ１２４は、Ｓ１０で検索されたパーツＩＤに対し、Ｓ２０乃至Ｓ４０の処理を行う。但し、ＵＳＢメモリ４等に複数のアップデート用パーツデータが格納されていた場合には、複数のパーツＩＤが検索されることになることから、この場合には、その複数のパーツＩＤの各々に対して、Ｓ２０乃至Ｓ４０の処理を行う。
【００３１】
より詳しくは、ＣＰＵ１２４は、まず、Ｓ１０で検索されたパーツＩＤの中で未だ処理対象パーツＩＤとされていないパーツＩＤの１つを処理対象パーツＩＤとし、その処理対象パーツＩＤが、パーツメモリ１２２のパーツ格納テーブル１２２ａ、１２２ｂに格納されているパーツデータのヘッダに有るか否かを判定する（Ｓ２０）。
【００３２】
Ｓ２０の判定結果がＹｅｓの場合、ＣＰＵ１２４は、処理対象パーツＩＤを含むヘッダを有するアップデート用パーツデータのヘッダに含まれるデータサイズが、処理対象パーツＩＤを含むヘッダを有するパーツメモリ１２２に格納されているパーツデータのヘッダに含まれるデータサイズとオフセットとを加えたサイズ（即ち最大許容実データサイズ）以下であるか否かを判定する（Ｓ３０）。
【００３３】
Ｓ３０の判定結果がＹｅｓの場合、ＣＰＵ１２４は、処理対象パーツＩＤを含むヘッダを有するパーツメモリ１２２に格納されているパーツデータを、処理対象パーツＩＤを含むヘッダを有するアップデート用パーツデータへアップデートする（Ｓ４０）。なお、このアップデートでは、パーツメモリ１２２に格納されていたパーツデータの実データが、アップデート用パーツデータの実データへ書き替えられる。また、アップデート用パーツデータのヘッダに含まれるデータサイズに応じて、パーツメモリ１２２に格納されていたパーツデータのヘッダに含まれるデータサイズ及びオフセットが書き替えられる。
【００３４】
一方、Ｓ２０の判定結果がＮｏの場合、又はＳ３０の判定結果がＮｏの場合、ＣＰＵ１２４は、処理対象パーツＩＤを含むヘッダを有するアップデート用パーツデータへのアップデートを行わない。
【００３５】
そして、Ｓ２０の判定結果がＮｏの場合、Ｓ３０の判定結果がＮｏの場合、又はＳ４０の後は、図示はしないが、Ｓ１０で検索されたパーツＩＤの中で未だ処理対象パーツＩＤとされていないパーツＩＤが残っている場合には処理がＳ２０へ戻り、それが残っていない場合には、本動作が終了する。
【００３６】
本動作が終了した後は、ＣＰＵ１２４が、上述のようにして行われたアップデート後のパーツメモリ１２２に格納されているパーツデータに基づいてＵＩ画面を生成し、そのＵＩ画面をタッチパネルディスプレイ１３に表示させる。
【００３７】
以上のように、本実施形態によれば、アップデート用パーツデータを格納したＵＳＢメモリ４等を入力ＩＦ１２３に接続するだけで、パーツメモリ１２２に格納されているパーツデータのアップデートを行うことができる。従って、ＵＩ画面の構成要素となるパーツを変更する際に、従来のようなソフトウェアのアップデート作業は不要であり、その変更を容易に行うことができる。また、変更後のパーツの確認は、タッチパネルディスプレイ１３に表示されたＵＩ画面の確認により直ぐに行うことができる。
【００３８】
なお、本実施形態において、パーツデータ及びそのアップデート用パーツデータは、画像（アイコン等）や文字以外のパーツを表すパーツデータ及びそのアップデート用パーツデータであってもよい。
【００３９】
以上、上述した実施形態は、発明の理解を容易にするために本発明の具体例を示したものであり、本発明は上述の実施形態に限定されるものではない。本発明は、特許請求の範囲に規定された本発明の思想を逸脱しない範囲において、さまざまな変形、変更が可能である。
【符号の説明】
【００４０】
１          内視鏡用プロセッサ
２          内視鏡
３          モニタ
４          ＵＳＢメモリ
５          ＳＤメモリカード
１１        映像処理部
１２        ＵＩコントロール基板
１３        タッチパネルディスプレイ
１２１      プログラムメモリ
１２２      パーツメモリ
１２２ａ、１２２ｂ  パーツ格納テーブル
１２３      入力ＩＦ
１２４      ＣＰＵ
【図１】
2017199587.tif 000003
【図２】
2017199587.tif 000004
【図３】
2017199587.tif 000005
【図４】
2017199587.tif 000006
【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
ＵＩ（User Interface）画面を生成するために実行されるアプリケーションプログラムが格納されるアプリケーション格納メモリと、
前記アプリケーション格納メモリと分離して設けられ、前記ＵＩ画面の構成要素となるパーツと、当該パーツを一意に識別するための情報である識別子と、を含むパーツデータが格納されるパーツ格納メモリと、
前記パーツ格納メモリに格納されているパーツを書き換えるための書き換え用パーツと、当該書き換え用パーツに付加された前記識別子と、を含む書き替え用のパーツデータが、外部から入力される入力インターフェース部と、
前記パーツ格納メモリに格納された前記パーツデータのうち、前記書き換え用パーツにより書き換えられる対象として前記入力インターフェース部により入力された前記書き換え用パーツに付加された前記識別子と同一の前記識別子を含む前記パーツデータを検索する演算部と、
を備えることを特徴とするＵＩ生成装置。
【請求項２】
前記演算部は、
前記アプリケーション格納メモリに格納された前記アプリケーションプログラムを実行することにより前記ＵＩ画面を生成し、
更に、前記パーツ格納メモリに格納されているパーツデータが前記入力インターフェース部を介して入力された書き替え用のパーツデータへ書き替えられた後の、前記パーツ格納メモリに格納されているパーツデータに基づいて、前記ＵＩ画面を生成することを特徴とする請求項１記載のＵＩ生成装置。
【請求項３】
前記パーツ格納メモリに格納されているパーツデータ、及び、前記入力インターフェース部を介して入力される書き替え用のパーツデータは、当該パーツデータの前記識別子及びデータサイズを含むヘッダデータをパーツデータ毎に有することを特徴とする請求項１記載のＵＩ生成装置。
【請求項４】
前記パーツ格納メモリに格納されているパーツデータを、前記入力インターフェース部を介して入力される書き替え用のパーツデータへ書き替える際に、
前記入力インターフェース部を介して入力される書き替え用のパーツデータのヘッダデータに含まれる識別子を取得し、
前記取得した識別子と、前記パーツ格納メモリに格納されているパーツデータの識別子テーブルとを比較し、
前記取得した識別子が前記識別子テーブルに含まれている場合には、前記取得した識別子を含むヘッダデータを有する前記書き替え用のパーツデータのヘッダデータに含まれるデータサイズと、前記取得した識別子を含むヘッダデータを有する前記パーツ格納メモリに格納されているパーツデータのために確保されているデータエリアサイズとを比較し、
前記書き替え用のパーツデータのヘッダデータに含まれるデータサイズが前記データエリアサイズ以下である場合には、前記取得した識別子を含むヘッダデータを有する前記パーツ格納メモリに格納されているパーツデータを、前記取得した識別子を含むヘッダデータを有する前記書き替え用のパーツデータへ書き替え、
前記取得した識別子が前記識別子テーブルに含まれていない場合、又は、前記取得した識別子を含むヘッダデータを有する前記書き替え用のパーツデータのデータサイズが前記データエリアサイズよりも大きい場合には、前記取得した識別子を含むヘッダデータを有する前記書き替え用のパーツデータへの書き替えを行わない、
ことを特徴とする請求項３記載のＵＩ生成装置。
【請求項５】
前記パーツデータは、前記ＵＩ画面の構成要素となる画像又は文字を表すデータであることを特徴とする請求項１記載のＵＩ生成装置。
【手続補正２】
【補正対象書類名】明細書
【補正対象項目名】０００６
【補正方法】変更
【補正の内容】
【０００６】
本発明の第１の態様は、ＵＩ（User Interface）画面を生成するために実行されるアプリケーションプログラムが格納されるアプリケーション格納メモリと、前記アプリケーション格納メモリと分離して設けられ、前記ＵＩ画面の構成要素となるパーツと、当該パーツを一意に識別するための情報である識別子と、を含むパーツデータが格納されるパーツ格納メモリと、前記パーツ格納メモリに格納されているパーツを書き換えるための書き換え用パーツと、当該書き換え用パーツに付加された前記識別子と、を含む書き替え用のパーツデータが、外部から入力される入力インターフェース部と、前記パーツ格納メモリに格納された前記パーツデータのうち、前記書き換え用パーツにより書き換えられる対象として前記入力インターフェース部により入力された前記書き換え用パーツに付加された前記識別子と同一の前記識別子を含む前記パーツデータを検索する演算部と、を備えるＵＩ生成装置を提供する。
【手続補正３】
【補正対象書類名】明細書
【補正対象項目名】０００７
【補正方法】変更
【補正の内容】
【０００７】
本発明の第２の態様は、第１の態様において、前記演算部は、前記アプリケーション格納メモリに格納された前記アプリケーションプログラムを実行することにより前記ＵＩ画面を生成し、更に、前記パーツ格納メモリに格納されているパーツデータが前記入力インターフェース部を介して入力された書き替え用のパーツデータへ書き替えられた後の、前記パーツ格納メモリに格納されているパーツデータに基づいて、前記ＵＩ画面を生成するＵＩ生成装置を提供する。
【手続補正４】
【補正対象書類名】明細書
【補正対象項目名】０００８
【補正方法】変更
【補正の内容】
【０００８】
本発明の第３の態様は、第１の態様において、前記パーツ格納メモリに格納されているパーツデータ、及び、前記入力インターフェース部を介して入力される書き替え用のパーツデータは、当該パーツデータの前記識別子及びデータサイズを含むヘッダデータをパーツデータ毎に有するＵＩ生成装置を提供する。
【国際調査報告】
2017199587.tif 000007
2017199587.tif 000008
2017199587.tif 000009
2017199587.tif 000010